(57)【特許請求の範囲】
【請求項１】
左右いずれか一方にレバー（１）を装着し、前輪を大型の固定車輪（３）とした片麻痺者用車椅子であって、
該レバーの前後動に合わせて、レバーの下端を中心として回動するレバーギヤ（４）を装着し、該レバーギヤと座席下に設けたダブルラチェット機（７）の中心軸である、ダブルラチェット機軸（３４）に固定された下部ギヤ（６）とが、チェーン（５）を介して連動するように構成され、
ダブルラチェット機軸に設けた内向きギヤ付きギヤ（４０）と前輪軸（９）は、チェーン（８）を介して前輪軸ギヤ（９）を回転させ、進行することができ、
ダブルラチェット機は、ダブルラチェット機軸（３４）を中心にして、歯車（４３）、（４４）が間隔を保って固定され、歯車（４３）の外方に歯車の回転方向により係合或いは空転するピン（２５）を設けたピン用シャフト（３１）と、ピンのない補助シャフト（２９）、（３５）とが、ダブルラチェット機軸と摺動可能なシャフト補助アーム（３７）に固定され、シングルピン用カバー（３３）内に装入固定され、
歯車（４４）の外方に歯車の回転方向により係合或いは空転するピン（２７）を設けたピン用シャフト（３２）と、ピンのない補助シャフト（３０）、（３６）とが、バランスリング（３８）を介してシングルピン用カバー（３３）から突出したピン用シャフト（３１）とピンのない補助シャフト（２９）、（３５）と当接し、ダブルピン用カバー（３９）内に装入固定され、
且つ、内面に内向きギヤ（２２）を有し、シングルピン用カバー（３３）外周に固定している内向きギヤ取付け板（２１）と、内面に内向きギヤ（４２）を有し、ダブルピン用カバー（３９）外周に固定している内向きギヤ付きギヤ（４０）とが、傘歯車である、伝達ギヤ（２４）により、相互に噛合していることを特徴とする片麻痺者用車椅子。
【請求項２】
ピン用シャフト（３２）の内向きギヤ付きギヤ側先端にピン用スプリング（４１）を設け、該ピン用スプリングを介してピン用シャフト（３２）にピン（２７）を装着すると共に、該ピン（２７）にピン（２６）を隣接して設け、上記ピン用シャフト（３２）と補助シャフト（３０）、（３６）がダブルピン用カバー（３９）で覆われ、ダブルピン用カバーは３個のピンが入るスペースを有し、シングルピン用カバーは２個のピンが入るスペースを有すると共に、
レバーの上部に、押すことによりシャフト補助アーム（３７）を押圧してピン用スプリング（４１）を圧縮させ、ピン（２５）、（２６）、（２７）が各ピンの間隔だけ位置ずれする後退用ボタン（１１）を設けたことを特徴とする請求項１記載の片麻痺者用車椅子。
【請求項３】
前輪軸の左右にクラッチを取付け、ワイヤーを介してレバー上部に左右に回動する方向切替えレバー（１２）と連動させ、該方向切替えレバーを一方に回動するとワイヤーと接続している一方の前輪クラッチ（１３）が切れ、他方の前輪（３）のみが駆動力を有してクラッチが切れた側に曲がり、方向切替えレバーを他方に回動すると他方の前輪クラッチが切れ、一方の前輪のみが駆動力を有してクラッチが切れた側に曲がることを特徴とする請求項１又は２に記載する片麻痺者用車椅子。
【請求項４】
両前輪クラッチを係合或いは解除できる、自走、介助切替えレバー（１０）を設けたことを特徴とする請求項１ないし３のいずれかに記載する片麻痺者用車椅子。
【発明の詳細な説明】
【０００１】
【発明の属する技術分野】
本発明は片麻痺者用で、左右どちらにも取付けられるレバーを操作する事により走行出来る片麻痺者用手動式車椅子に関する。
【０００２】
【従来の技術】
従来の車椅子では、片麻痺者は走行できなかった。
【０００３】
【発明が解決しようとする課題】
右腕又は左腕だけで車椅子を左折、右折、前進、後退が出来、介助走行、手動走行が切替えレバーによりできる。
【０００４】
【課題を解決するための手段】
上記の問題を解決する為に、ダブルラチェット機の採用と操作レバーの長さを長くして操作を楽にし、左折、右折、後退を操作レバー上部に取付け、指で簡単におこなえる。
【０００５】
【発明の実施の形態】
本発明は、前輪を大型車輪とし、前輪駆動で座席下にダブルラチェット機を取付け、車椅子フレーム外側肘掛け上部に突き出たレバーにより構成される。
【０００６】
上記レバー取付位置は、前輪の上部で車椅子の前方に位置し、車椅子に座った状態でレバーを効率的に前方に倒したり、手前に引き戻したりする事が出来る車椅子である。
【０００７】
又、レバーにはラチェット機能付き後退ボタンと、左折、右折、レバーが上端に取付けてある。
【０００８】
レバー１にはレバーギヤ４が固定されており、ダブルラチェット機軸３４に取付けてある下部ギヤ６とチェーンで結ばれている。
【０００９】
後部フレームに自走、介助切替えレバーを備え、前輪軸左右に取付けてあるクラッチとワイヤーで接続している。
【００１０】
【実施例】
実施例について図面を参照して説明すると、図１においてレバー１を前方に押し倒すとレバー１のレバーギヤ４が反時計方向に回動し、下部ギヤ６がチェーン５により反時計方向に回動する。図５の（ｂ）においてダブルラチェット機軸３４が反時計方向に回動し、ピン２７が歯車４４とロックして内向きギヤ付きギヤ４０が反時計方向に回動し左前輪（３−ａ）、右前輪（３−ｂ）が反時計方向に回転して車椅子が前進する。
【００１１】
内向きギヤ付きギヤ４０が反時計方向に回動する時、伝達ギヤ２４が回動し内向きギヤ取付け板２１が時計方向に回動するが、ピン２５と歯車４３は空転のみする。
【００１２】
図１において、前方に倒したレバー１を手前に引き戻すとレバーギヤ４が時計方向に回動し、下部ギヤ６がチェーン５により時計方向に回動する。図５の（ｂ）において、ダブルラチェット機軸３４が時計方向にに回動し、ピン２５が歯車４３とロックして内向きギヤ取付け板２１が時計方向に回動し、伝達ギヤ２４により内向きギヤ付きギヤ４０が反時計方向に回動し、前輪軸ギヤ９がチェーン８により反時計方向に回転し、左前輪（３−ａ）、右前輪（３−ｂ）が反時計方向に回転して車椅子が前進する。
【００１３】
図６の（ａ）においてレバー１の上端の後退用ボタン１１を押すと、ピン２５、２６、２７の位置が図５の（ｂ）から（ａ）となる。後退用ボタン１１をもう一度押すと、ピン２５、２６、２７の位置が図５の（ａ）から（ｂ）となり前進状態となる。
【００１４】
図１において、レバー１の上端にある後退用ボタン１１を押し、レバー１を手前に引くと、レバーギヤ４が時計方向に回動し、下部ギヤ６がチェーン５により時計方向に回動する。図５の（ａ）においてダブルラチェット機軸３４が時計方向に回動し、ピン２６が歯車４４とロックして内向きギヤ付きギヤ４０が時計方向に回動し、前輪軸ギヤ９がチェーン８により時計方向に回転し、左前輪（３−ａ）、右前輪（３−ｂ）が時計方向に回転して車椅子が後退する。
【００１５】
レバー１を前方に倒すとレバーギヤ４が反時計方向に回動し、下部ギヤ６がチェーン５により反時計方向に回動する。図５の（ａ）においてダブルラチェット機軸３４が反時計方向に回動するが、ピン２６と歯車４４は空転のみする。
【００１６】
レバー１の上端の後退用ボタン１１を押すと、ピン２５、２６、２７の位置が図５の（ａ）から（ｂ）の状態となり前進状態となる。
【００１７】
図６の（ｂ）においてレバー１の上端にある方向切替えレバー１２を右方１６の位置にすると、ワイヤーと接続してある右前輪クラッチ１３−ｂが切れ、右前輪３−ｂは駆動力を失い右折する。方向切替えレバー１２を左方１７に位置すると、左前輪クラッチ１３−ａが切れ、左前輪３−ａが駆動力を失い左折する。
【００１８】
車椅子フレーム後部に取付けてある自走、介助切替えレバー１０を下に倒すと、左前輪クラッチ１３−ａ、右前輪クラッチ１３−ｂが切れ、介助車椅子となり、自走、介助切替えレバー１０を上に倒すと、左前輪クラッチ１３−ａ、右前輪クラッチ１３−ｂがつながり、手動車椅子となる。
【００１９】
【発明の効果】
本発明は以上説明したような形態で実施され以下に記載されるような効果を奏す。
【００２０】
レバーを前に倒しても引き戻しても車椅子は前進する。
【００２１】
レバーを長くしてあるので、テコの原理で小さな力ですみ、長時間走行してもあまり疲れない。
【００２２】
レバー上端に後退用ボタン、方向切替えレバーを備えていので操作しやすい。
【００２３】
自走、介助切替えレバーを備えているので使いやすい。
【図面の簡単な説明】
【図１】          車椅子の側面図
【図２】          車椅子の平面図
【図３】          車椅子の正面図
【図４】          （ａ）  ダブルラチェット機平面図
（ｂ）  ダブルラチェット機側面図
【図５】          （ａ）  ダブルラチェット機後退状態詳細
（ｂ）  ダブルラチェット機前進状態詳細
【図６】          （ａ）  レバー側面詳細
（ｂ）  レバー平面詳細
【符号の説明】
１、      レバー                          ２１、内向きギヤ取付け板
２−ａ、  左後輪                          ２２、内向きギヤ
２−ｂ、  右後輪                          ２３、伝達ギヤ用シャフト
３−ａ、  左前輪                          ２４、伝達ギヤ
３−ｂ、  右前輪                          ２５、ピン
４、      レバーギヤ                      ２６、ピン
５、      チェーン                        ２７、ピン
６、      下部ギヤ                        ２８、ピン用板バネ
７、      ダブルラチェット機              ２９、補助シャフト
８、      チェーン                        ３０、補助シャフト
９、      前輪軸ギヤ                      ３１、ピン用シャフト
１０、    自走、介助切替えレバー          ３２、ピン用シャフト
１１、    後退用ボタン                    ３３、シングルピン用カバー
１２、    方向切替えレバー                ３４、ダブルラチェット機軸
１３−ａ、左前輪クラッチ                  ３５、補助シャフト
１３−ｂ、右前輪クラッチ                  ３６、補助シャフト
１５、    固定アーム                      ３７、シャフト補助アーム
１６、    右折時レバー位置                ３８、バランスリング
１７、    左折時レバー位置                ３９、ダブルピン用カバー
４０、内向きギヤ付きギヤ
４１、ピン用スプリング
４２、内向きギヤ
４３、歯車
４４、歯車
【図１】
0003665623.tif 000002
【図２】
0003665623.tif 000003
【図３】
0003665623.tif 000004
【図４】
0003665623.tif 000005
【図５】
0003665623.tif 000006
【図６】
0003665623.tif 000007